(57)【要約】【課題】本発明は、レンズを接着剤により筒に固定したレンズユニットにおいて、接着剤による光学性能の劣化を抑制することを目的とするものである。【解決手段】内周に複数のレンズ位置決め部３を有する筒１と、この筒１の内部に収納され前記レンズ位置決め部３に、その外周が当接されることにより光軸垂直方向に位置決めされたレンズ２とを備え、前記筒１内部の前記レンズ２の外周部下方には、その上面によって前記レンズ外周部を支持する複数のレンズ支持部５を設け、このレンズ支持部５の下方には、接着剤垂れ防止用の受け皿４を設けた。【選択図】図３
2006113107.tif 000002
【特許請求の範囲】
【請求項１】
内周に複数のレンズ位置決め部を有する筒と、この筒の内部に収納され前記レンズ位置決め部に、その外周が当接されることにより光軸垂直方向に位置決めされたレンズとを備え、前記筒内部の前記レンズの外周部下方には、その上面によって前記レンズ外周部を支持する複数のレンズ支持部を設け、このレンズ支持部の下方には、接着剤垂れ防止用の受け皿を設け、前記レンズ支持部上面に接着剤によって前記レンズの外周を接着したことを特徴とするレンズユニット。
【請求項２】
受け皿は内周と外周を持ち、内周から外周に行くに従って下方に傾斜することを特徴とする請求項１記載のレンズユニット。
【請求項３】
受け皿は内周と外周を持ち、外周と内周の間に窪みがあることを特徴とする請求項１記載のレンズユニット。
【請求項４】
筒内周に沿った形状のレンズ支持部を有することを特徴とする請求項１記載のレンズユニット。
【請求項５】
筒内周に沿った弓形のレンズ支持部を有することを特徴とする請求項１記載のレンズユニット。
【請求項６】
レンズ支持部が筒内周において等間隔に存在することを特徴とする請求項１記載のレンズユニット。
【請求項７】
レンズ支持部が筒内周面に１２０°間隔で設置されることを特徴とする請求項６記載のレンズユニット。
【請求項８】
レンズ位置決め部が筒内周において等間隔に存在することを特徴とする請求項１記載のレンズユニット。
【請求項９】
レンズ位置決め部が筒内周面に１２０°間隔で設置されることを特徴とする請求項８記載のレンズユニット。
【請求項１０】
レンズ位置決め部が筒内周面に６０°間隔で設置されることを特徴とする請求項８記載のレンズユニット。
【請求項１１】
レンズ位置決め部が筒内周面に６０°間隔で設置されることを特徴とする請求項７記載のレンズユニット。
【発明の詳細な説明】
【技術分野】
【０００１】
本発明は、レンズを接着剤により筒内部に固定したレンズユニットに関する。
【背景技術】
【０００２】
従来この種のレンズユニットは、図７の斜視図に示されるような構成を示していた。
【０００３】
図において、筒１１の内周にはレンズ（図示せず）を光軸垂直方向に位置決めするレンズ位置決め部１３が備え付けられており、レンズ支持部１５によりレンズの光軸方向の受け面が構成され、レンズの光軸方向の位置決めが行われる。
【０００４】
このような構成により、レンズユニットが構成されていた。
【０００５】
なお、この出願に関する先行技術文献情報としては、例えば、特許文献１が知られている。
【特許文献１】特開平４−１６６９０４号公報
【発明の開示】
【発明が解決しようとする課題】
【０００６】
しかしながら、このような従来のレンズユニットは光学性能の劣化が問題となっていた。
【０００７】
すなわち、上記従来の構成においては、レンズとレンズ支持部１５とを接着する接着剤が、それらの間から滲みだし、下方の段部１４よりも下方に到達することがあった。このような接着剤は、下方に存在する他のレンズに付着することでレンズの光学性能を下げたり、筒１１内側において凝固し、それによって反射された光がレンズに入ることで、フレアやゴーストといった光学性能の劣化を引き起こしたりする原因となっていた。
【０００８】
そこで本発明は、レンズを接着剤により筒に固定したレンズユニットにおいて、光学性能の劣化を抑制することを目的とする。
【課題を解決するための手段】
【０００９】
そして、この目的を達成するために本発明は、レンズ支持部の下方に接着剤の受け皿を設けたものである。
【発明の効果】
【００１０】
本発明のレンズユニットは、レンズとレンズ支持部との間から接着剤が滲みだしてきても、受け皿によって受けることができるため、接着剤が受け皿よりも下方に進むことを防ぐことができる。よって、接着剤が、下方に存在する他のレンズに付着することでレンズの光学性能を下げたり、筒内側において凝固し、それによって反射された光がレンズに入ることで、フレアやゴーストといった光学性能の劣化を引き起こしたりするのを防ぐことができる。
【発明を実施するための最良の形態】
【００１１】
（実施の形態１）
以下、本発明の実施の形態１における電気端子について図面を参照しながら説明する。
【００１２】
図１は本発明のレンズユニットの斜視図、図２は図１のＡ−Ａ断面におけるレンズユニットの断面図、図３は図１のＢ−Ｂ断面におけるレンズ鏡筒の斜視図、図４は図１のＣ−Ｃ断面におけるレンズユニットの断面図である。
【００１３】
図１に示す円筒状で樹脂製の筒１の内周部には、図２、図３のごとく円盤状のレンズ２の外周と当接することによりレンズ２を光軸垂直方向に位置決めする縦板状のレンズ位置決め部３が一体に設けられている。このようなレンズユニットにおいては、レンズ２の結露などを考慮して筒１内部におけるレンズ２の前後部分で通気性を有する必要がある。そのため、複数の隙間部をレンズ２の周りに設けることが望ましい。
【００１４】
本実施形態においては、レンズ２の外周側面の全面が密着するものとは異なり、筒１の内周面を複数部分突出させ、この突出部をレンズ位置決め部３とする。そして、この複数のレンズ位置決め部３により形成される内接円の径と同じか少し大きい外周径を持つレンズ２の外周を、このレンズ位置決め部３に接触させて、筒１の円周中心とレンズ２の光軸とを一致させる位置に仮固定するとともに、レンズ２と筒１の内周面が当接しない隙間部を形成している。
【００１５】
ここで、このレンズ位置決め部３を、筒１の内周において等間隔、且つ同形状に設ければ、容易に筒１の円周中心とレンズ２の光軸とを一致させることができる。
【００１６】
このレンズ位置決め部３は筒１を金型で射出成形すると同時に作られる。その金型は、まず円筒形の金型を用意して、その外周を平面研削することにより形成することができる。ここで、この平面研削する箇所を金型の外周において等間隔、且つ同形状の研削をすることにより、容易に筒１の円周中心とレンズ２の光軸とを一致させるレンズ位置決め部３を形成することができる。
【００１７】
前記筒１内部には、図３、図４のごとくレンズ位置決め部３により外周を位置決めされたレンズ２の外周部を上面によって支持する複数のレンズ支持部５が備え付けてあり、このレンズ支持部５の各頂部によって形成される仮想平面が光軸と直交するようになっている。そして、このレンズ支持部５の上面において接着剤によりレンズ２が固定されている。
【００１８】
ここで、レンズ支持部５は少なくとも３箇所以上設けられていることが好ましい。また、レンズ支持部５はレンズ位置決め部３と同様、筒１を金型で射出成形すると同時に作られるため、筒１内周に沿った弓形であれば製造しやすいという利点がある。
【００１９】
このレンズ支持部５の下方には、レンズ２の光軸方向位置を規制する受け皿４が設けてあり、その受け皿４は外周と内周とを有し、その内周から外周に行くにしたがって下方に傾斜している。
【００２０】
このような構成により、レンズ２とレンズ支持部５との間から接着剤が滲みだしてきても、受け皿４の傾斜と接着剤の重力によって、接着剤がこれ以上、下方に進むことはない。そうすることで、下方に存在する他のレンズへの接着剤の付着による光学性能劣化や、筒１内側に流れて凝固した接着剤に反射された光がレンズに入ることで、フレアやゴーストといった光学性能の劣化を引き起こしたりするのを防ぐことができる。
【００２１】
さらに、接着剤として熱硬化型接着剤を用いた場合、硬化させるため加熱させる必要があるが、その際に接着剤が流動性を増しても本発明のように受け皿がある構成にしておけば、接着剤が受け皿４より下方に進むことを防ぐことができ、光学性能の劣化を防ぐことができる。
【００２２】
また、レンズ支持部５の上面において接着剤により固定されたレンズ２の光軸方向の位置合わせを行う場合、その位置精度は筒１の樹脂の成形精度にのみ依存するので高い位置精度を得やすい。さらに、レンズ位置決め部３において固定されるレンズ２の光軸に垂直方向の調芯精度は、筒１の内面が弾性変形することにより誤差が吸収される構造になっている。よって、レンズ２の直径に対して数千分の一程度のずれという高精度が得られる。
【００２３】
なお、この受け皿４の形状は上記に限らず、外周と内周との間が窪むことによってレンズ支持部５とレンズ２との間から滲みだした接着剤を受け止める構造など、外周と内周の間に一部でも内周から外周に行くに従って下方へ傾斜する部分があればよい。
【００２４】
なお、内周と外周は円である必要はない。
【００２５】
（実施の形態２）
以下、本発明の実施の形態２におけるレンズユニットについて図面を参照しながら説明する。
【００２６】
図５（ａ）〜（ｄ）はそれぞれ本発明の実施の形態２におけるレンズ支持部５とレンズ位置決め部３の配置を表す平面図である。なお、実施の形態１の構成と同様の構成を有するものについては、同一符号を付してその説明を省略する。
【００２７】
図５において、実施の形態１と相違する点は、レンズ支持部５とレンズ位置決め部３を同じ数だけ設け、筒１内周において両者共に回転対称な位置に存在させている点である。
【００２８】
この構成により、レンズ支持部５及びレンズ位置決め部３とレンズ２との接触部分からレンズ２へかかる応力を均一に分散させることができて望ましく、安定したレンズ保持ができる。
【００２９】
（ａ），（ｃ）はレンズ支持部５、レンズ位置決め部３をそれぞれ３箇所ずつ、１２０°間隔で設けたものであり、（ａ）は両者が同一位置にある、（ｃ）は両者が交互に位置することを特徴としている。
【００３０】
（ｂ），（ｄ）はレンズ支持部５、レンズ位置決め部３をそれぞれ４箇所ずつ、９０°間隔で設けたものであり、（ｂ）は両者が同一位置にある、（ｄ）は両者が交互に位置することを特徴としている。
【００３１】
（実施の形態３）
以下、本発明の実施の形態３におけるレンズユニットについて図面を参照しながら説明する。
【００３２】
図６（ａ），（ｂ）は本発明の実施の形態３におけるレンズ支持部５とレンズ位置決め部３の配置を表す平面図である。なお、実施の形態１の構成と同様の構成を有するものについては、同一符号を付してその説明を省略する。
【００３３】
図６において、実施の形態１と相違する点は、レンズ支持部５を３箇所、レンズ位置決め部３を６箇所、筒１内周において両者共に回転対称な位置に存在させている点である。
【００３４】
この構成により、レンズ支持部５によって３点で支持することができるので安定した支持ができる上に、レンズ位置決め部３が６点もあることでレンズ２の中心と筒１の中心とをより高い精度で一致させることができる。また、実施の形態２と同様、レンズ支持部５及びレンズ位置決め部３とレンズ２との接触部分からレンズ２へかかる応力を均一に分散させることができて望ましく、安定したレンズ保持ができる。
【００３５】
（ａ）はレンズ位置決め部３が６０°間隔に設けられ、レンズ支持部５が１２０°間隔で且つ、レンズ位置決め部３の内三つと同一位置に設けられることを特徴としている。
【００３６】
（ｂ）はレンズ位置決め部３が６０°間隔に設けられ、レンズ支持部５が１２０°間隔で且つ、レンズ位置決め部３と同一でない位置に設けられることを特徴としている。
【産業上の利用可能性】
【００３７】
本発明のレンズユニットは、光学性能の劣化を抑制するという効果を有し、小型高性能なコンパクトデジタルカメラやモバイルカメラなどに代表される各種電子機器の撮像素子において有用である。
【図面の簡単な説明】
【００３８】
【図１】本発明のレンズユニットの斜視図
【図２】図１のＡ−Ａ断面におけるレンズユニットの断面図
【図３】図１のＢ−Ｂ断面におけるレンズ鏡筒の斜視図
【図４】図１のＣ−Ｃ断面におけるレンズユニットの断面図
【図５】（ａ）〜（ｄ）は本発明の実施の形態２におけるレンズ支持部５とレンズ位置決め部３の配置を表す平面図
【図６】（ａ）（ｂ）は本発明の実施の形態３におけるレンズ支持部５とレンズ位置決め部３の配置を表す平面図
【図７】従来のレンズユニットの斜視図
【符号の説明】
【００３９】
１  筒
２  レンズ
３  レンズ位置決め部
４  受け皿
５  レンズ支持部
１１  筒
１３  レンズ位置決め部
１４  突当部
１５  レンズ支持部
【図１】
2006113107.tif 000003
【図２】
2006113107.tif 000004
【図３】
2006113107.tif 000005
【図４】
2006113107.tif 000006
【図５】
2006113107.tif 000007
【図６】
2006113107.tif 000008
【図７】
2006113107.tif 000009